(57)【要約】      （修正有）【課題】負圧タンクを設けても装置の小型化が可能な吸引装置を提供する。【解決手段】枠材２１０を組み合わせたフレーム２に吸引部２６を有し、吸引部２６は、吸引空間と吸引面を有し、吸引空間は、負圧タンク１１４に接続され、負圧タンク１１４からの負圧によって吸引空間から空気を吸引し、負圧タンク１１４は、フレーム２の枠材２１０内部に設けられている。【選択図】図１
2019038657.tif 000002
【特許請求の範囲】
【請求項１】
枠材を組み合わせたフレームと、
前記フレームに設けられた吸引手段と、
負圧タンクを含む負圧手段と、
を有し、
前記吸引手段は、吸引部を有し、
前記吸引部は、吸引空間と、前記吸引空間に設けられた吸引面を有し、
前記吸引面は、複数の吸引孔を有し、
前記吸引空間は、前記負圧タンクに接続され、
前記負圧手段は、前記負圧タンクからの負圧によって前記吸引空間における前記吸引面の前記吸引孔から空気を吸引し、
前記負圧タンクは、前記フレームの前記枠材内部に設けられている、
吸引装置。
【請求項２】
前記枠材内部を仕切って密閉空間を設けることにより前記負圧タンクを形成している、
請求項１に記載の吸引装置。
【請求項３】
枠材を組み合わせたフレームと、
前記フレームに設けられ、かつ、前後方向に搬送される旧ウエブの搬送路の上方にある初期位置に配された上本体と、
前記フレームに設けられ、かつ、  前記搬送路を挟んで前記初期位置にある下本体と、
前記下本体に設けられ、新ウエブの下面を吸引する下吸引部と、
前記上本体に回転自在に設けられ、搬送が停止された前記旧ウエブを前記新ウエブと共に前記下吸引部に押圧し、かつ、切断された前記旧ウエブのみを回転しながら巻き付ける巻き付けロールと、
前記下本体に設けられ、前記巻き付けロールと前記下吸引部との間に挟まれた前記旧ウエブと前記新ウエブを重ねてカッターで切断する切断装置と、
負圧タンクを含む負圧手段と、
を有し、
前記巻き付けロールは、前記旧ウエブを吸引する旧ウエブ吸引部を有し、
前記旧ウエブ吸引部は、前記巻き付けロールの内部に設けられた旧ウエブ吸引空間と、前記巻き付けロールの外周面に設けられた旧ウエブ吸引面を有し、
前記旧ウエブ吸引面は、複数の吸引孔を有し、
前記旧ウエブ吸引空間は、前記負圧タンクに接続され、
前記負圧手段は、前記負圧タンクからの負圧によって前記旧ウエブ吸引空間における前記旧ウエブ吸引面の前記吸引孔から前記旧ウエブを吸引し、
前記負圧タンクが前記フレームの前記枠材内部に設けられている、
ウエブの接続装置。
【請求項４】
前記上本体に回転自在に設けられ、上テープを吸引し、前記初期位置において、切断された前記旧ウエブと前記新ウエブの接続部分の上面に前記上テープを回転しながら貼り付ける直方体の上テープ貼り付け体を有し、
前記上テープ貼り付け体は、前記上テープを吸引する上テープ吸引部を有し、
前記上テープ吸引部は、前記上テープ貼り付け体の上部に設けられた上テープ吸引空間と、前記上テープ貼り付け体の外周面に設けられた上テープ吸引面を有し、
前記上テープ吸引面は、複数の吸引孔を有し、
前記上テープ吸引空間は、前記負圧タンクに接続され、
前記負圧手段は、前記負圧タンクからの負圧によって前記上テープ吸引空間における前記上テープ吸引面の前記吸引孔から前記上テープを吸引する、
請求項３に記載のウエブの接続装置。
【請求項５】
前記フレームに設けられ、かつ、前記初期位置より下流における前記搬送路に設けられ、下テープを吸引し、前記旧ウエブと前記新ウエブの接続部分の下面に前記下テープを回転しながら貼り付ける下テープ貼り付けロールを有し、
前記下テープ貼り付けロールは、前記下テープを吸引する下テープ吸引部を有し、
前記下テープ吸引部は、前記下テープ貼り付けロールの内部に設けられた下テープ吸引空間と、前記下テープ貼り付けロールの外周面に設けられた下テープ吸引面を有し、
前記下テープ吸引面は、複数の吸引孔を有し、
前記下テープ吸引空間は、前記負圧タンクに接続され、
前記負圧手段は、前記負圧タンクからの負圧によって前記下テープ吸引空間における前記下テープ吸引面の前記吸引孔から前記下テープを吸引する、
請求項３に記載のウエブの接続装置。
【請求項６】
前記下吸引部は、前記搬送路に沿って第１下吸引部と第２下吸引部に分割され、
前記切断装置のカッターは、前記第１下吸引部と前記第２下吸引部の間を移動し、
前記第１下吸引部は、第１下吸引空間と、前記第１下吸引部の上面に設けられた第１下吸引面を有し、
前記第１下吸引面は、複数の吸引孔を有し、
前記第２下吸引部は、第２下吸引空間と、前記第２下吸引部の上面に設けられた第２下吸引面を有し、
前記第２下吸引面は、複数の吸引孔を有しし、
前記第１下吸引空間と前記第２下吸引空間は、前記負圧タンクに接続され、
前記負圧手段は、前記負圧タンクからの負圧によって前記第１下吸引空間と前記第２下吸引空間における前記第１下吸引面と前記第２下吸引面の前記吸引孔から前記新ウエブを吸引する、
請求項３に記載のウエブの接続装置。
【請求項７】
前記枠材内部を仕切って密閉空間を設けることにより前記負圧タンクを形成している、
請求項３乃至６に記載のウエブの接続装置。
【発明の詳細な説明】
【技術分野】
【０００１】
本発明は、吸引装置とウエブの接続装置に関するものである。
【背景技術】
【０００２】
従来、旧ウエブに新ウエブを接続する接続装置は、第１に旧ウエブと新ウエブを重ね合わせ、第２に切断予定箇所の前後をウエブ保持部材で挟持し、第３に新旧両ウエブを切断箇所で同時に切断し、第４に旧ウエブの後端部及び新ウエブの前端部をウエブ保持部材の吸引面で吸引保持しつつ新旧両ウエブの不要部分を両方とも除去し、第５に旧ウエブの後端部と新ウエブの前端部をテープで貼り合わせる。
【先行技術文献】
【特許文献】
【０００３】
【特許文献１】特許第５８３３１９３号公報
【発明の概要】
【発明が解決しようとする課題】
【０００４】
前記接続装置において、ウエブやテープを吸引する吸引部を負圧にするためには、負圧タンクが必要である。しかし、この負圧タンクを設けると装置が大型化するという問題点があった。
【０００５】
そこで本発明は上記問題点に鑑み、負圧タンクを設けても装置の小型化が可能な吸引装置とウエブの接続装置を提供することを目的とする。
【課題を解決するための手段】
【０００６】
本発明は、枠材を組み合わせたフレームと、前記フレームに設けられた吸引手段と、負圧タンクを含む負圧手段と、を有し、前記吸引手段は、吸引部を有し、前記吸引部は、吸引空間と、前記吸引空間に設けられた吸引面を有し、前記吸引面は、複数の吸引孔を有し、前記吸引空間は、前記負圧タンクに接続され、前記負圧手段は、前記負圧タンクからの負圧によって前記吸引空間における前記吸引面の前記吸引孔から空気を吸引し、前記負圧タンクは、前記フレームの前記枠材内部に設けられている、吸引装置である。
【０００７】
また、本発明は、枠材を組み合わせたフレームと、前記フレームに設けられ、かつ、前後方向に搬送される旧ウエブの搬送路の上方にある初期位置に配された上本体と、前記フレームに設けられ、かつ、  前記搬送路を挟んで前記初期位置にある下本体と、前記下本体に設けられ、新ウエブの下面を吸引する下吸引部と、前記上本体に回転自在に設けられ、搬送が停止された前記旧ウエブを前記新ウエブと共に前記下吸引部に押圧し、かつ、切断された前記旧ウエブのみを回転しながら巻き付ける巻き付けロールと、前記下本体に設けられ、前記巻き付けロールと前記下吸引部との間に挟まれた前記旧ウエブと前記新ウエブを重ねてカッターで切断する切断装置と、負圧タンクを含む負圧手段と、を有し、前記巻き付けロールは、前記旧ウエブを吸引する旧ウエブ吸引部を有し、前記旧ウエブ吸引部は、前記巻き付けロールの内部に設けられた旧ウエブ吸引空間と、前記巻き付けロールの外周面に設けられた旧ウエブ吸引面を有し、前記旧ウエブ吸引面は、複数の吸引孔を有し、前記旧ウエブ吸引空間は、前記負圧タンクに接続され、前記負圧手段は、前記負圧タンクからの負圧によって前記旧ウエブ吸引空間における前記旧ウエブ吸引面の前記吸引孔から前記旧ウエブを吸引し、前記負圧タンクが前記フレームの前記枠材内部に設けられている、ウエブの接続装置である。
【発明の効果】
【０００８】
本発明によれば、負圧タンクは、フレームの枠材内部に設けられているため、装置の小型化が可能である。
【図面の簡単な説明】
【０００９】
【図１】一実施形態の接続装置の全体図である。
【図２】下本体が初期高さにある接続装置の全体図である。
【図３】巻き付けロールの位置から前方を見た上ユニットの断面図である。
【図４】巻き付けロールと上テープ貼り付けロールと駆動ギアの回転構造を外側から見た示した説明図である。
【図５】接続装置の側面からの縦断面図である。
【図６】接続装置の正面からの縦断面図である。
【図７】上テープ貼り付け体を格納した状態の上部分のみの背面図である。
【図８】上テープ貼り付け体を引き出した状態の上部分のみの背面図である。
【図９】上テープ貼り付け体を箱体から引き出した状態の一部欠裁斜視図である。
【図１０】箱体に上テープ貼り付け体を収納した状態を内側から見た縦断面図である。
【図１１】第１工程における接続装置の説明図である。
【図１２】第２、３工程における接続装置の説明図である。
【図１３】第４工程における接続装置の説明図である。
【図１４】第５工程における接続装置の説明図である。
【図１５】第５工程における接続装置の説明図である。
【図１６】第６工程における接続装置の説明図である。
【図１７】第６工程における接続装置の説明図である。
【図１８】第７工程における接続装置の説明図である。
【図１９】第８工程における接続装置の説明図である。
【図２０】第９工程における接続装置の説明図である。
【図２１】第９工程における接続装置の説明図である。
【図２２】第１０工程における接続装置の説明図である。
【図２３】第１０工程における接続装置の説明図である。
【図２４】第１１工程における接続装置の説明図である。
【図２５】吸引装置と負圧装置の全体図である。
【図２６】旧ウエブ吸引部、上テープ吸引部、下テープ吸引部、第１下吸引部、第２下吸引部、塵吸引部の説明図である。
【図２７】接続装置のブロック図である。
【図２８】吸引装置のフローチャートである。
【発明を実施するための形態】
【００１０】
以下、本発明の一実施形態のウエブＷの接続装置１について図面を参照して説明する。「ウエブＷ」とは、長尺状のシートであり、布帛、紙、フィルム、金属箔などをいう。接続装置１において、「搬入側」は、ウエブＷが搬送されてくる上流を意味し、「搬出側」は、ウエブＷが搬送される下流を意味する。「前後方向」は、ウエブＷが搬送される方向であり、水平である。
【００１１】
ウエブＷを巻出す巻出し装置は、古い芯に巻き付けた旧ウエブＷ１が残り少なくなると、新しい芯から新ウエブＷ２を巻出す。そして、本実施形態の接続装置１は、旧ウエブＷ１に新ウエブＷ２を接続する装置である。
【００１２】
本実施形態のウエブＷの接続装置１について図１〜図２４を参照して説明する。
【００１３】
（１）フレーム２
接続装置１のフレーム２について図１を参照して説明する。フレーム２の基台２００の前部には左右一対の前縦枠材２０２が垂直に立設され、基台２００の後部には左右一対の後縦枠材２０４が立設されている。なお、図１では左側の前縦枠材２０２と後縦枠材２０４とが記載されている。
【００１４】
前縦枠材２０２の上端部と後縦枠材２０４の上端部には、上枠材２０６が前後方向に、かつ、水平に架設されている。
【００１５】
左右一対の前縦枠材２０２の間には、前横枠材２０８が水平に架設されている。この前横枠材２０８の位置は、前縦枠材２０２の下部近傍である。
【００１６】
左右一対の後縦枠材２０４の間には、後横枠材２１０が水平に架設されている。この後横枠材２１０の位置は、前横枠材２０８の高さと同じ高さである。
【００１７】
左右一対の上枠材２０６の前部の間には、上前横枠材２１２が水平に架設されている。
【００１８】
左右一対の上枠材２０６の後部の間には、上後横枠材２１４が水平に架設されている。
【００１９】
前縦枠材２０２の前横枠材２０８の位置と、後縦枠材２０４の後横枠材２１０の位置との間には、支持枠材２１６が水平に架設されている。
【００２０】
前縦枠材２０２の中央より若干上方の位置に旧ウエブＷ１が搬入される搬入ロール３が設けられている。また、後縦枠材２０４の中央より上方の位置には、搬出ロール５が設けられている。また、上枠材２０６の後端部には、ガイドロール６が設けられている。搬入ロール３と搬出ロール５の高さは同じ高さに設けられている。
【００２１】
搬入ロール３の下方には、搬入押圧ロール４が設けられている。この取り付け位置については後から説明する。
【００２２】
フレーム２には、上ユニット１２と下ユニット１４が設けられ、上ユニット１２はフレーム２の上部に設けられ、下ユニット１４は、上ユニット１２と搬送路を挟んでフレーム２に設けられている。
【００２３】
なお、このフレーム２の構造はあくまでも一例であり、縦方向の枠材と横方向の枠材とを組み立てて構成するものであればよい。
【００２４】
巻出し装置の古い芯からの旧ウエブＷ１は、図１に示すように、フレーム２の搬入ロール３の下周面を経て、上ユニット１２と下ユニット１４との間にある搬送路を前後方向に通過し、その後に搬出ロール５の下周面、ガイドロール６を経て、塗工装置などに案内される。一方、巻出し装置の新しい芯からの新ウエブＷ２は、搬入ロール３の下方に設けられている搬入押圧ロール４の上周面を通過し、その先端部は下ユニット１４に固定されている。
【００２５】
フレーム２の上前横枠材２１２は、四角筒型の枠材であり、その内部は空洞である。この上前横枠材２１２の内部に仕切りが設けられ、２つの密閉空間が形成されている。この２つの密閉空間が、後から説明する負圧タンク１１４−１、負圧タンク１１４−２に対応する。負圧タンク１１４−１の上面には接続口１１４−１１が設けられ、負圧タンク１１４−２の上面には接続口１１４−２１が設けられている。
【００２６】
フレーム２の上後横枠材２１４は、四角筒型の枠材であり、その内部が空洞である。この上後横枠材２１４の内部に仕切りが設けられ、２つの密閉空間が形成されている。この２つの密閉空間が、後から説明する負圧タンク１１４−３、負圧タンク１１４−４に対応する。負圧タンク１１４−３の下面には接続口１１４−３１が設けられ、負圧タンク１１４−４の下面には接続口１１４−４１が設けられている。
【００２７】
フレーム２の前横枠材２０８は、四角筒型の枠材であり、その内部が空洞である。この前横枠材２０８の内部に仕切りが設けられ、２つの密閉空間が形成されている。この２つの密閉空間が、後から説明する負圧タンク１１４−５、負圧タンク１１４−６に対応する。負圧タンク１１４−５の上面には接続口１１４−５１が設けられ、負圧タンク１１４−６の上面には接続口１１４−６１が設けられている。
【００２８】
フレーム２の後横枠材２１０は、通常の枠材であるが、これに限らず、図示はしないが、その内部を空洞にして仕切りを設け、２つの密閉空間が形成し、これら２つの密閉空間を予備の負圧タンクとしてもよい。
【００２９】
（２）上ユニット１２
上ユニット１２について説明する。図１に示すように、上ユニット１２は、フレーム２における搬送路の上方、すなわち、下ユニット１４と旧ウエブＷ１の上方に配されている。図１に示すように、上ユニット１２の本体（以下、「上本体」という）１６は、前後方向（水平方向）に移動自在に配され、搬入側から巻き付けロール１８、上テープ貼り付け体２０とより構成されている。
【００３０】
上本体１６の構造について説明する。上本体１６の両側部に相当する左右一対の移動板２２，２２の下部に、巻き付けロール１８、上テープ貼り付け体２０が、同じ高さで、水平に、かつ、左右方向に架設されている。
【００３１】
ロール状の巻き付けロール１８の左右一対の回転軸２４は、左右一対の移動板２２から回転自在に突出している。巻き付けロール１８の一方から突出した回転軸２４は、一方の移動板２２から突出し、巻き付けプーリ８０が設けられている。巻き付けロール１８の他方から突出した回転軸２４は、他方の移動板２２に回転自在に支持されている。
【００３２】
上テープ貼り付け体２０の一方から回転軸３０８が突出している。この回転軸３０８は、一方の移動板２２から突出し、貼り付けプーリ８２が設けられている。上テープ貼り付け体２０については、後から詳しく説明する。
【００３３】
左右一対の移動板２２の両側には、左右一対の駆動ギア７６が設けられている。図４に示すように、この駆動ギア７６の位置は、巻き付けロール１８と上テープ貼り付け体２０よりも上方で三角形を構成するように設けられている。この左右一対の駆動ギア７６は、左右一対の移動板２２，２２を貫通するギア回転軸７７によって連結されている。
【００３４】
一方の移動板２２と一方の駆動ギア７６との間におけるギア回転軸７７には、ギアプーリ８６が設けられている。このギアプーリ８６と巻き付けプーリ８０と貼り付けプーリ８２は、図４に示すように無端状のベルト８４が架け渡され、ギアプーリ８６が回転すると巻き付けプーリ８０と貼り付けプーリ８２が同速又は異なる速度で同じ方向に回転する。
【００３５】
左右一対の上枠材２０６の下端からラック支持部２３が垂設するように取り付けられ、このラック支持部２３の下端にラック７８が前後方向に取り付けられている。このラック７８は、ピニオンの役割をする駆動ギア７６と螺合し、ラック７８上を駆動ギア７６が回転しながら移動する。
【００３６】
図１、図３に示すように、左右一対の上枠材２０６の内面下部には、左右一対の上レール３６が前後方向に取り付けられている。左右一対の移動板２２の上部には、左右一対の上レール３６を移動するスライド部３７が設けられている。左右一対の上枠材２０６の上部には、左右一対の水平アクチュエータ３８が設けられ、この水平アクチュエータ３８のシリンダの先端はスライド部３７に取り付けられている。これにより、水平アクチュエータ３８がシリンダを移動させるとスライド部３７が上レール３６に沿って移動し、それと共に移動板２２が移動する。図４に示すように、移動板２２が移動すると、駆動ギア７６が回転し、それと共に巻き付けプーリ８０、貼り付けプーリ８２が同じ方向に回転して、巻き付けロール１８と上テープ貼り付け体２０が同じ方向に回転する。
【００３７】
巻き付けロール１８と上テープ貼り付け体２０の回転速度について説明する。巻き付けロール１８の回転速度は、後から説明するように旧ウエブＷ１を巻き付けることができる速度であればよい。一方、貼り付け体２０の回転速度は、初期位置における上テープ３４が、回転して貼り付けのときに水平な位置になるように決定する。
【００３８】
（３）巻き付けロール１８
図１、図３、図４に示すように、巻き付けロール１８は、回転軸２４によって旧ウエブＷ１の搬送方向に沿って回転する。図１、図５に示すように、巻き付けロール１８の内部には旧ウエブ吸引部２６が設けられ、その外周には周面形状でなく平らな平面形状の旧ウエブ吸引面２７が形成されている。また、この旧ウエブ吸引部２６と隣接してカッター５８が通過するカッター移動溝２８が形成されている。すなわち、巻き付けロール１８の幅方向に設けられたカッター移動溝２８の上流側に旧ウエブ吸引部２６が形成されている。図５に示すように、旧ウエブ吸引部２６の外周部には旧ウエブ吸引面２７が形成されている。図５、図２６に示すように、旧ウエブ吸引面２７には、複数の小吸引孔４２７が開口している。旧ウエブ吸引面２７には、シリコンゴム製のゴム板よりなる上弾性板４２８が両面接着テープで貼り付けられ、上弾性板４２８には小吸引孔４２７の内径より大きく、かつ、小吸引孔４２７と対応する位置に大吸引孔４２９が開口している。
【００３９】
（４）上テープ貼り付け体２０
図１、図３に示すように、上テープ貼り付け体２０は、回転軸３０８によって旧ウエブＷ１の搬送方向に沿って回転する。図１０、図２６に示すように、上テープ貼り付け体２０の内部には上テープ吸引部３２が設けられ、この上テープ吸引部３２の外周面には、上テープ吸引面３５が形成され、上テープ３４の非接着面を吸引する。
【００４０】
図９に示すように、上テープ貼り付け体２０は、左右一対の円板３０２と円板３０４とを有し、この左右一対の円板３０２と円板３０４との間には、直方体の箱体３０６が設けられている。この箱体３０６は、上面が開口している。円板３０２から回転軸３０８が突出し、上記したように一方の移動板２２を貫通して、貼り付けプーリ８２が設けられている。円板３０４には、箱体開口部３１０が設けられている。
【００４１】
図１０に示すように、他方の移動板２２の内壁における、円板３０４の外周に対応する位置には等角度毎に３個のコロ３１２が回転自在に突出する。これら３個のコロ３１２の内周面が、円板３０４の外周を回転自在に支持している。３個のコロ３１２の内側にある移動板２２には、箱体開口部３１０と同じ形状をなす壁開口部３１４が設けられている。箱体３０６の底面には、箱体レール３１６が左右方向に設けられている。
【００４２】
図１０に示すように、箱体３０６の内部には、直方体の上テープ吸引部３２と、吸引支持体３１８が格納され、箱体レール３１６に沿って移動自在となっている。吸引支持体３１８は、コ字状に折曲された一対の金属板よりなる吸引支持板３２０、３２２が相対向するように配置され、その上部に上テープ吸引部３２が固定され、その下部に車輪３２８が回転自在に配されている。この車輪３２８は、吸引支持体３１８の幅方向に沿って複数個配され、箱体レール３１６の上部を転動する。
【００４３】
図１０に示すように、上テープ吸引部３２の内部は吸引空間３２４が形成され、上テープ吸引部３２の上面は縦断面円弧型の曲面形状をなし、上テープ吸引面３５を形成している。図１０、図２６に示すように、上テープ吸引面３５には、複数の小吸引孔４３５が開口している。上テープ吸引面３５には、シリコンゴム製のゴム板よりなる上テープ弾性板４３６が両面接着テープで貼り付けられ、上テープ弾性板４３６には小吸引孔４３５の内径より大きく、かつ、小吸引孔４３５と対応する位置に大吸引孔４３７が開口している。上記した箱体開口部３１０は、この上テープ吸引部３２の縦断面形状よりも若干大きく形成され、下部が四角であり上が半円形である。また、壁開口部３１４も同じ形状で同じ大きさである。
【００４４】
図７〜図９に示すように、他方の移動板２２の壁開口部３１４の底部の外方には、突出レール３２６が水平に設けられている。この突出レール３２６は後縦枠材２０４に固定され、フレーム２の箱体レール３１６と不連続で同じ方向に延び、車輪３２８が転動する。
【００４５】
左右一対の上枠材２０６，２０６の上には上後横枠材２１４が水平に架設されている。この上後横枠材２１４は、図７、図１０に示すように、上テープ吸引部３２が真上に回転した状態における位置に設けられている。
【００４６】
図７〜図９に示すように、上後横枠材２１４の上には、上テープ吸引部３２を引出すための引き出し装置３３０が設けられている。引き出し装置３３０は、上後横枠材２１４の上に設けられた四角筒型の格納部３３２と四角柱型の引き出し部３３４とを有する。引き出し部３３４は、格納部３３２に通常格納されている。格納部３３２の底面には引き出しレール３３６が設けられ、引き出し部３３４がこの引き出しレール３３６に沿って外方に引き出される。引き出し部３３４の先端には吊り下げ部３３８が上下方向に設けられ、この吊り下げ部３３８の下端であって、かつ、移動板２２の方向には連結部３４０が設けられている。連結部３４０の先端は、上テープ吸引部３２の一側面に連結可能である。
【００４７】
（５）補助ロール３４２
図１、図２に示すように、巻き付けロール１８と上テープ貼り付け体２０との間で、かつ、移動板２２の下辺に沿って設けられた補助ロール取り付け部３４４が設けられ、この補助ロール取り付け部３４４に２個の補助ロール３４２が、回動自在に設けられている。この補助ロール取り付け部３４４によって、２個の補助ロール３４２の高さ調整を行える。補助ロール３４２の役割を説明する。
【００４８】
上記したように、上テープ貼り付け体２０は、直方体であって上テープ３４を貼り付ける位置以外はロール状になっておらず、旧ウエブＷ１と新ウエブＷ２を第２下吸引部５６に押圧できない。そのため、図１１〜図２１に示すように、２個の補助ロール３４２を設けて、切断された旧ウエブＷ１と新ウエブＷ２を第２下吸引部５６に押圧している。そして、上テープ貼り付け体２０は、２個の補助ロール３４２を経た旧ウエブＷ１と新ウエブＷ２とを上から上テープ３４で貼り付ける。これによって、上テープ貼り付け体２０がロール状でなくても、上テープ３４を貼り付けることができる。
【００４９】
（６）上テープ３４の取り付け状態
次に、作業前に上テープ貼り付け体２０に上テープ３４を取り付ける作業について説明する。
【００５０】
まず、図１、図１１に示すように、上テープ貼り付け体２０の上テープ吸引面３５が真上に回転するように上本体１６を移動させる。この位置が引き出し装置３３０の真下に該当する。以下この位置が「初期位置」と「引き出し位置」を兼ねている。
【００５１】
次に、図７に示すように、引き出し位置に上テープ貼り付け体２０が移動すると、連結部３４０の先端が上テープ吸引部３２に連結される。この場合の連結は、手動で行ってもよく、また自動で行うようにしてもよい。
【００５２】
次に、図８、図９に示すように、作業者は、引き出し部３３４を格納部３３２から左右方向に引出すと、箱体３０６に格納された上テープ吸引部３２の車輪３２８が、箱体レール３１６と突出レール３２６を移動し、箱体開口部３１０と壁開口部３１４の中を通って引出される。
【００５３】
次に、作業者は、上テープ吸引面３５が真上に位置した上テープ吸引部３２が完全に引き出されると、上テープ３４の非接着面を上テープ吸引面３５に吸引させる。
【００５４】
次に、図７に示すように、作業者は、上テープ３４を上テープ吸引面３５に吸引すると、引き出し部３３４を格納部３３２に格納する。すると、図１１に示すように、上テープ吸引面３５が真上に位置して上テープ吸引部３２は、移動板２２の壁開口部３１４と円板３０４の箱体開口部３１０を経て箱体３０６に格納される。この場合に、車輪３２８が、箱体レール３１６、突出レール３２６を移動するため、スムーズに移動できる。
【００５５】
上テープ貼り付け体２０の一端は円板３０２から突出した回転軸３０８によって回転し、他方の円板３０４は３個のコロ３１２の間を回転するため、上テープ貼り付け体２０は、上テープ３４を貼り付けることができる。
【００５６】
（７）下ユニット１４
次に、下ユニット１４について説明する。下ユニット１４は、左右一対の上下部材６０と、左右一対の上下部材６０の間に架設された下本体４０とよりなる。
【００５７】
図１に示すように、左右一対の前縦枠材２０２と後縦枠材２０４の間には、左右一対の上下部材６０が水平方向にそれぞれ架け渡されている。
【００５８】
図１に示すように、上下部材６０の前部は、前縦枠材２０２の縦方向に設けられた上下レール６４によって支持され、上下部材６０の後部は、後縦枠材２０４に縦方向に設けられた上下レール６４に支持されている。上下部材６０は、上下アクチュエータ６２によって、上下レール６４を上下動する。
【００５９】
図１に示すように、左右一対の上下部材６０の前端部の間には、搬入押圧ロール４が回転自在に設けられている。この搬入押圧ロール４の位置は、搬入ロール３に対応する位置にある。
【００６０】
図１に示すように、左右一対の上下部材６０の間には、下本体４０が左右方向で、かつ、水平方向に架設されている。下本体４０は、図２に示すように、上下アクチュエータ６２によって最も下の位置にある「初期高さ」、図１、図１１に示すように、接続作業を行う前に待機している高さである「待機高さ」、図１２に示すように、接続作業を行っている「作業高さ」の３段階に高さ調整される。
【００６１】
下本体４０は、下吸引部４４、切断装置４６とより構成されている。図１に示すように、新ウエブＷ２の先端部は、下吸引部４４の上面を経た後、上下部材６０の後部に、端部固定部材６６によって固定されている。これは、上下部材６０が金属であるため、マグネットよりなる端部固定部材６６によって、新ウエブＷ２を挟んで固定する。
【００６２】
図１、図５に示すように、下吸引部４４は、新ウエブＷ２の搬送路に面した第１下吸引部５４と第２下吸引部５６とを有し、第１下吸引部５４と第２下吸引部５６とで新ウエブＷ２をそれぞれ吸引する。図５に示すように、第１下吸引部５４の水平な第１下吸引面５７と第２下吸引部５６の水平な第２下吸引面６１が形成されている。
【００６３】
図５、図２６に示すように、第１下吸引面５７には、複数の小吸引孔４５７が開口している。第１下吸引面５７には、シリコンゴム製のゴム板よりなる第１下弾性板４５８が両面接着テープで貼り付けられ、第１下弾性板４５８には小吸引孔４５７の内径より大きく、かつ、小吸引孔４５７と対応する位置に大吸引孔４５９が開口している。
【００６４】
図５、図２６に示すように、第２下吸引面６１には、複数の小吸引孔４６１が開口している。第２下吸引面６１には、シリコンゴム製のゴム板よりなる第２下弾性板４６２が両面接着テープで貼り付けられ、第２下弾性板４６２には小吸引孔４６１の内径より大きく、かつ、小吸引孔４６１と対応する位置に大吸引孔４６３が開口している。
【００６５】
図５に示すように、切断装置４６は、第１下吸引部５４と第２下吸引部５６との間に設けられ、カッター５８が、重ねた旧ウエブＷ１と新ウエブＷ２を幅方向に同時に切断する。詳しい構成については次の項目で説明する。
【００６６】
（８）切断装置４６
重ねた旧ウエブＷ１と新ウエブＷ２とを同時に切断する切断装置４６について図５と図６を参照して説明する。
【００６７】
（８−１）切断装置４６の構造
切断装置４６の構造を図５と図６を参照して説明する。第１下吸引部５４と第２下吸引部５６との間に図５に示すように切断装置４６のカッター支持部８８が設けられ、このカッター支持部８８からカッター５８が立設されている。
【００６８】
カッター５８は、図６に示すように平行四辺形の板状であって、上ほどカッター５８の進行側に傾斜している。また、カッター５８は、第１下吸引部５４と第２下吸引部５６の上面から突出している。
【００６９】
カッター支持部８８は、第１下吸引部５４と第２下吸引部５６の間に設けられたロッドレスシリンダ４８のシリンダ本体９０の中のピストン１９０と共に水平に移動する。このときに旧ウエブＷ１と新ウエブＷ２の幅方向に沿ってカッター５８が移動する。以下では説明を簡単にするために、図６に示すようにロッドレスシリンダ４８のピストン１９０に設けられたカッター支持部８８は、旧ウエブＷ１と新ウエブＷ２の左から右に移動するものとする。
【００７０】
図５に示すように、隔壁シート９２が、カッター支持部８８の上方であって、第１下吸引部５４と第２下吸引部５６の上端部より下方に、下ユニット１４に水平に取り付けられている。隔壁シート９２には、左右方向に沿って通過スリット９４が設けられ、この通過スリット９４をカッター５８が移動する。隔壁シート９２は、ゴム製のシートにより形成されている。
【００７１】
図５に示すように、第１下吸引部５４の側面と第２下吸引部５６の側面と隔壁シート９２とにより囲まれた空間を、以下では「下移動溝部９６」と呼ぶ。また、カッター移動溝２８と旧ウエブＷ１によって囲まれた筒状の空間を、以下では「切断空間９８」と呼び、新ウエブＷ２と下移動溝部９６によって囲まれた筒状の空間を、以下では「切断空間９９」と呼ぶ。
【００７２】
図６に示すように、筒状の切断空間９８，９９の右側には、塵吸引部１０２が取り付けられている。塵吸引部１０２は略筒状であって、上塵吸引口１０４と下塵吸引口１０６とを有している。切断空間９８，９９の左側は開放されている。また、第１下吸引部５４の側面と第２下吸引部５６から右側に延びた区画板部９７によって切断空間９８，９９が上下に区画されている。そして、重ねた旧ウエブＷ１と新ウエブＷ２とを切断するときには、塵吸引部１０２の上塵吸引口１０４から切断空間９８の空気を吸引し、下塵吸引口１０６から切断空間９９の空気を吸引しながら、カッター５８が、図５と図６に示すように、カッター移動溝２８と下移動溝部９６によって囲まれた筒状の切断空間９８，９９を左から右に水平に移動する。
【００７３】
（８−２）切断装置４６の動作状態
切断装置４６の動作状態について図５と図６を参照して説明する。まず、第１下吸引部５４と第２下吸引部５６によって旧ウエブＷ１を水平に吸引して固定し、その上に新ウエブＷ２を配し、巻き付けロール１８によって旧ウエブＷ１と新ウエブＷ２とを重ねて挟んだ状態で固定する。このとき、旧ウエブＷ１と新ウエブＷ２の切断したい箇所は、カッター移動溝２８と下移動溝部９６によって囲まれた切断空間９８，９９内に位置している。
【００７４】
次に、塵吸引部１０２の上塵吸引口１０４から切断空間９８の空気を吸引し、下塵吸引口１０６から切断空間９９の空気を吸引すると、図６に示すように、空気が左から右に吸引される。これは、切断空間９８，９９の左が開放されているからである。
【００７５】
次に、カッター支持部８８がシリンダ本体９０に沿って移動するとカッター５８が隔壁シート９２の通過スリット９４を移動しつつ、重ねた旧ウエブＷ１と新ウエブＷ２とを幅方向に切断していく。切断によって発生した塵は、塵吸引部１０２が吸引して、旧ウエブＷ１や新ウエブＷ２の表面に付着しない。
【００７６】
次に、カッター５８が、重ねた旧ウエブＷ１と新ウエブＷ２の切断が終了すると、塵吸引部１０２の吸引を停止させる。
【００７７】
これによって、切断装置４６は、旧ウエブＷ１と新ウエブＷ２の表面に塵が付着することなく切断が終了し、接続装置１は、次の工程に移行できる。
【００７８】
（９）下テープ貼り付けロール４２
下テープ貼り付けロール４２について図１と図２を参照して説明する。図１と図２に示すように、上本体１６と下本体４０の下流側であって、搬出ロール５の下方近傍には下テープ貼り付けロール４２が設けられている。
【００７９】
後縦枠材２０４から突出した突出部６８に回転自在に左右一対の腕部７０が設けられ、左右一対の腕部７０の先端の間には、下テープ貼り付けロール４２が回転自在に架設されている。腕部７０は、突出部６８に対し腕回転軸７２を中心に回転するものであり、後縦枠材２０４の下部に設けられた下テープアクチュエータ７４によって回転自在となっている。下テープアクチュエータ７４は、シリンダを上下動させることにより、シリンダの先端と腕回転軸７２とを結んでいる連結板７５が移動し、これに伴って腕回転軸７２が回転し、下テープ貼り付けロール４２が巻出しロール５と接触したり、退避する。
【００８０】
下テープ貼り付けロール４２は、ウエブＷの搬送方向に沿って回転する。図２６に示すように、下テープ貼り付けロール４２の内部には下テープ吸引部５０が形成され、下テープ吸引部５０の外周には、下テープ吸引面５３が形成されている。
【００８１】
図２６に示すように、下テープ吸引面５３には、複数の小吸引孔４５３が開口している。下テープ吸引面５３には、シリコンゴム製のゴム板よりなる下テープ弾性板４５４が両面接着テープで貼り付けられ、下テープ弾性板４５４には小吸引孔４５３の内径より大きく、かつ、小吸引孔４５３と対応する位置に大吸引孔４５５が開口している。
【００８２】
（１０）吸引装置１００と負圧装置１５０の構造
次に、本実施形態の接続装置１の吸引装置１００と負圧装置１５０の構造について図２５を参照して説明する。吸引装置１００は、負圧ポンプ１１０、動力シリンダ１１２、第１逆止弁１０８、第２逆止弁１１６、６個の二方弁１１８−１〜１１８−６、６個の負圧タンク１１４−１〜１１４−６、１個の吸引二方弁１２０−１、６個の吸引三方弁１２０−２〜１２０−６、６個の圧力計１２２−１〜１２２−６、塵吸引部１０２、旧ウエブ吸引部２６、上テープ吸引部３２、下テープ吸引部５０、第１下吸引部５４、第２下吸引部５６の６系統からなる。
【００８３】
この中で負圧ポンプ１１０、動力シリンダ１１２，第１逆止弁１０８、第２逆止弁１１６、６個の二方弁１１８−１〜１１８−６、６個の負圧タンク１１４−１〜１１４−６によって負圧装置１５０が構成されている。
【００８４】
負圧ポンプ１１０は、中空筒のケーシングシリンダ１２８内をピストン１３０が摺動し、ケーシングシリンダ１２８内はピストン１３０によって第１空間１３２と第２空間１３４とに区切られている。ピストン１３０は、動力シリンダ１１２によって摺動する。ケーシングシリンダ１２８の第１空間１３２には、主接続管１２３の一端が接続されている。
【００８５】
主接続管１２３の他端は、２つに分岐し、一方には第１接続管１２４の一端が接続され、他方には第２逆止弁１１６の一端が接続されている。第１逆止弁１０８の他端は外部に開放され、第１逆止弁１０８における空気の流れは、主接続管１２３内部から外部への方向である。第２逆止弁１１６の他端は第１接続管１２４の一端に接続され、第１接続管１２４の他端は６個に分岐し、分岐した各他端と６個の二方弁１１８−１〜１１８−６の一端がそれぞれ接続されている。第２逆止弁１１６における空気の流れは、二方弁１１８−１〜１１８−６から負圧ポンプ１１０の方向である。二方弁１１８−１〜１１８−６の他端には負圧タンク１１４−１〜１１４−６がそれぞれ接続されている。
【００８６】
負圧タンク１１４−１〜１１４−２は、フレーム２の上前横枠材２１２内部に形成され、負圧タンク１１４−３〜１１４−４は、上後横枠材２１４内部に形成され、負圧タンク１１４−５〜１１４−６は、フレーム２の前横枠材２０８内部に形成されている。
【００８７】
第２接続管１２６−１〜１２６−６が、第１〜第６系統の吸引部と負圧タンク１１４−１〜１１４−６とにそれぞれ接続されている。また、第２接続管１２６−１〜１２６−６の間には、吸引二方弁１２０−１、吸引三方弁１２０−２〜１２０−６と圧力計１２２−１〜１２２−６がそれぞれ設けられている。各圧力計１２２は、各負圧タンク１１４内の圧力を測定する。なお、圧力計１２２−１〜１２２−６は、この圧力測定と共に所定の設定圧で制御装置１０に通知機能がある。吸引二方弁１２０−１は、負圧タンク１１４−１と塵吸引部１０２の間に接続されている。吸引三方弁１２０−２〜１２０−６の入口は各負圧タンク１１４−２〜１１４−６にそれぞれ接続され、吸引三方弁１２０−２〜１２０−６の各第１出口は各吸引部２６，３２，５０，５４，５６にそれぞれ接続され、各第２出口は外部にそれぞれ開放されている。
【００８８】
第２接続管１２６−１〜１２６−６は、負圧タンク１１４−１〜１１４−６の接続口１１４−１１〜１１４−６１にそれぞれ接続されている。
【００８９】
（１１）負圧装置１５０の動作状態
次に、負圧装置１５０が有する負圧ポンプ１１０によって負圧タンク１１４を設定負圧−Ｐ１にする動作状態について説明する。
【００９０】
まず、初期状態において、吸引二方弁１２０−１を閉状態、吸引三方弁１２０−２〜１２０−６の入口が閉状態、第１出口と第２出口が導通状態、二方弁１１８を開状態とする。負圧タンク１１４内は、大気圧とする。
【００９１】
次に、動力シリンダ１１２が、負圧ポンプ１１０のピストン１３０を摺動させ、第１空間１３２を広げる。これによって、負圧ポンプ１１０が、負圧タンク１１４内の空気を第２逆止弁１１６と二方弁１１８を介して吸引する。負圧タンク１１４内が、大気圧からΔＰだけ圧力が下がる。但し、第１逆止弁１０８からは空気の流れが逆方向のため空気は吸引されない。
【００９２】
次に、動力シリンダ１１２が負圧ポンプ１１０のピストン１３０を摺動させ、第１空間１３２を最も狭くした状態にする。第１空間１３２内の空気は、第１逆止弁１０８から外部に放出される。但し、負圧タンク１１４には、第２逆止弁１１６の空気の流れは逆方向のため、負圧タンク１１４に空気は送られない。
【００９３】
次に、動力シリンダ１１２が、ピストン１３０を再び摺動させ、第１空間１３２を広げる。これによって、負圧ポンプ１１０が、負圧タンク１１４内の空気を第２逆止弁１１６と二方弁１１８を介して吸引する。これにより負圧タンク１１４内が、前回の負圧値からさらにΔＰだけ圧力が下がる。
【００９４】
次に、上記のような動作を複数回繰り返し、１回についてΔＰだけ圧力を下げて負圧を高めていき、圧力計１２２が設定負圧−Ｐ１を測定すると、負圧ポンプ１１０と動力シリンダ１１２の動作を停止させ、二方弁１１８を閉状態とする。
【００９５】
以上の動作により、負圧タンク１１４内を設定負圧−Ｐ１に下げることができる。
【００９６】
（１２）吸引部の構造
６系統の各吸引部について図２６を参照して説明する。
【００９７】
第１系統は、上記で説明した略筒状の塵吸引部１０２であり、塵吸引部１０２の吸引体は塵であり、吸引空間は筒状の切断空間９８，９９であり、上塵吸引口１０４が吸引面に相当し、下塵吸引口１０６が吸引面に相当し、第２接続管１２６−１が接続されている。上塵吸引口１０４は、旧ウエブＷ１とカッター移動溝２８によって囲まれた上方の空切断空間９８から空気と共に塵を吸引し、下塵吸引口１０６は、新ウエブＷ２と下移動溝部９６によって囲まれた下方の切断空間９９から空気と共に塵を吸引する。
【００９８】
第２系統の巻き付けロール１８の旧ウエブ吸引部２６は、旧ウエブ吸引空間２５と旧ウエブ吸引面２７とを有し、吸引体は旧ウエブＷ１である。旧ウエブ吸引面２７は、巻き付けロール１８の外周面の約１／４に形成されている。旧ウエブ吸引空間２５は、巻き付けロール１８内に軸方向に沿って設けられ、旧ウエブ吸引面２７に対応した大きさを有し、回転軸２４に設けられた吸引口に通じ、この吸引口に第２接続管１２６−２が接続されている。旧ウエブ吸引面２７には、複数の小吸引孔４２７が開口している。旧ウエブ吸引面２７には、上弾性板４２８が両面接着テープで貼り付けられ、上弾性板４２８には小吸引孔４２７の内径より大きく、かつ、小吸引孔４２７と対応する位置に大吸引孔４２９が開口している。小吸引孔４２７の内径は、０．５〜２．０ｍｍであり、大吸引孔４２９の内径は、２．０〜５．０ｍｍ、好適には４．０ｍｍである。
【００９９】
第３系統の上テープ貼り付け体２０の上テープ吸引部３２は、吸引空間３２４と上テープ吸引面３５とを有し、吸引体は上テープ３４である。上テープ吸引面３５は上テープ３４の長さに合わせて上テープ貼り付け体２０の外周面に形成されている。吸引空間３２４は、上テープ吸引面３５に対応した大きさを有し、上テープ貼り付け体２０内に軸方向に沿って設けられ、回転軸３０８に設けられた吸引口に通じ、この吸引口には、第２接続管１２６−３が接続されている。上テープ吸引面３５には、複数の小吸引孔４３５が開口している。上テープ吸引面３５には、上テープ弾性板４３６が両面接着テープで貼り付けられ、上テープ弾性板４３６には小吸引孔４３５の内径より大きく、かつ、小吸引孔４３５と対応する位置に大吸引孔４３７が開口している。小吸引孔４３５の内径は、０．５〜２．０ｍｍであり、大吸引孔４３７の内径は、２．０〜５．０ｍｍ、好適には４．０ｍｍである。
【０１００】
第４系統の下テープ貼り付けロール４２の下テープ吸引部５０は、吸引空間５１と下テープ吸引面５３とを有し、吸引体は下テープ５２である。下テープ吸引面５３は下テープ５２の長さに合わせて下テープ貼り付けロール４２の外周面に形成されている。吸引空間５１は、吸引面５３に対応した大きさを有し、下テープ貼り付けロール４２内に軸方向に沿って設けられ、回転軸に設けられた吸引口に通じ、この吸引口には、第２接続管１２６−４が接続されている。図２６に示すように、下テープ吸引面５３には、複数の小吸引孔４５３が開口している。下テープ吸引面５３には、下テープ弾性板４５４が両面接着テープで貼り付けられ、下テープ弾性板４５４には小吸引孔４５３の内径より大きく、かつ、小吸引孔４５３と対応する位置に大吸引孔４５５が開口している。小吸引孔４５３の内径は、０．５〜２．０ｍｍであり、大吸引孔４５５の内径は、２．０〜５．０ｍｍ、好適には４．０ｍｍである。
【０１０１】
第５系統の第１下吸引部５４は、吸引空間５５と第１下吸引面５７とを有し、吸引体は新ウエブＷ２である。第１下吸引面５７は、第１下吸引部５４の上面に形成されている。吸引空間５５は、第１下吸引部５４内に形成され、第２接続管１２６−５が接続されている。第１下吸引面５７には、複数の小吸引孔４５７が開口している。第１下吸引面５７には、第１下弾性板４５８が両面接着テープで貼り付けられ、第１下弾性板４５８には小吸引孔４５７の内径より大きく、かつ、小吸引孔４５７と対応する位置に大吸引孔４５９が開口している。小吸引孔４５７の内径は、０．５〜２．０ｍｍであり、大吸引孔４５９の内径は、２．０〜５．０ｍｍ、好適には４．０ｍｍである。
【０１０２】
第６系統の第２下吸引部５６は、吸引空間５９と第２下吸引面６１とを有し、吸引体は新ウエブＷ２である。第２下吸引面６１は、第２下吸引部５６の上面に形成されている。吸引空間５９は、第２下吸引部５６内に形成され、第２接続管１２６−６が接続されている。第２下吸引面６１には、複数の小吸引孔４６１が開口している。第２下吸引面６１には、第２下弾性板４６２が両面接着テープで貼り付けられ、第２下弾性板４６２には小吸引孔４６１の内径より大きく、かつ、小吸引孔４６１と対応する位置に大吸引孔４６３が開口している。小吸引孔４６１の内径は、０．５〜２．０ｍｍであり、大吸引孔４６３の内径は、２．０〜５．０ｍｍ、好適には４．０ｍｍである。
【０１０３】
（１３）吸引部の吸引方法
次に、６系統の中の１系統である第１下吸引部５４が、新ウエブＷ２を吸引する方法について図２５と図２６を参照して説明する。
【０１０４】
初期状態において、負圧タンク１１４−５内は、上記したように設定負圧−Ｐ１に下げられている。吸引三方弁１２０−５は、入口が閉状態、第１出口と第２出口が導通状態である。そのため、第１下吸引部５４内の吸引空間５５は、複数の小吸引孔４５７と大吸引孔４５９が開口しているため大気圧である。
【０１０５】
そして、新ウエブＷ２によって第１下吸引部５４の小吸引孔４５７と大吸引孔４５９が閉塞され、第１下吸引部５４の吸引空間５５が密閉空間となる。
【０１０６】
次に、吸引三方弁１２０−５の入口と第１出口を導通状態にし、第２出口を閉状態にすると、負圧タンク１１４−５と第１下吸引部５４の吸引空間５５との間で負圧タンク１１４−５の内圧と第１下吸引部５４の吸引空間５５の内圧が平衡状態となる。すなわち、負圧タンク１１４の内圧は、設定負圧−Ｐ１から−Ｐ４に上がり、第１下吸引部５４の吸引空間５５の内圧が大気圧から−Ｐ４に下がる。このように第１下吸引部５４の吸引空間５５の内圧が−Ｐ４に下がると、新ウエブＷ２を吸引できる。この吸引のタイミングは、吸引三方弁１２０−５を操作することにより即時に対応できる。
【０１０７】
次に、新ウエブＷ２の吸引が終了するタイミングになると、吸引三方弁１２０−５の入口を閉状態、第１出口と第２出口を導通状態とすることにより、第１下吸引部５４の吸引空間５５の内圧が大気圧に上がり、吸引を終了させることができる。
【０１０８】
以上により、第１下吸引部５４の吸引空間５５を−Ｐ４に簡単に下げることができ、新ウエブＷ２を吸引できる。
【０１０９】
他の５系統の吸引部も同様に動作する。
【０１１０】
（１４）接続装置１の電気的構造
次に、接続装置１の電気的構造について図２７のブロック図を参照して説明する。接続装置１には、コンピュータよりなる制御手段である制御装置１０が設けられている。制御装置１０は、旧ウエブＷ１と新ウエブＷ２の搬送開始、搬送速度での搬送、搬送停止を行う。
【０１１１】
制御装置１０には、上ユニット１２を水平に移動させる水平アクチュエータ３８、下ユニット１４の上下部材６０を上下動させる上下アクチュエータ６２、切断装置４６、下テープアクチュエータ７４が接続されている。また、制御装置１０には、吸引装置１００の動力シリンダ１１２、６個の二方弁１１８−１〜１１８−６、１個の吸引二方弁１２０−１、５個の吸引三方弁１２０−２〜１２０−６、６個の圧力計１２２−１〜１２２−６が接続されている。
【０１１２】
（１５）接続装置１の接続工程
次に、接続装置１が旧ウエブＷ１と新ウエブＷ２を接続する工程について順番に説明する。
【０１１３】
（初期工程）
まず、接続作業を行う前の初期工程について説明する。
【０１１４】
下本体４０は、上下アクチュエータ６２によって初期高さにある。旧ウエブＷ１は、搬入ロール３から搬入され、上ユニット１２の下方を通過して搬出ロール５まで所定の搬送速度で走行し、塗工装置などに搬送される。
【０１１５】
作業者は、新ウエブＷ２を初期高さにある搬入押圧ロール４の上面を経て下本体４０の上を通過させ、新ウエブＷ２の先端を固定部材６６によって上下部材６０の後端部に取り付ける。このときに下本体４０は、初期高さにあるため、上ユニット１２との間が大きく広がり、作業者は、新ウエブＷ２を上ユニット１２と下本体４０との間に通し易い。
【０１１６】
作業者は、上テープ貼り付け体２０の上テープ吸引面３５に貼り付けられた上テープ弾性板４３６を挟んで、上テープ３４の非接触面を吸引させる。
【０１１７】
作業者は、下テープ貼り付けロール４２の下テープ吸引面５３に貼り付けられた下テープ弾性板４５を挟んで、下テープ５２の非接着面を吸引させる。
【０１１８】
これら作業が終わると、図２の下本体４０を初期高さから、図１の待機高さに上下アクチュエータ６２によって上昇させる。
【０１１９】
（第１工程）
第１工程において、図１と図１１に示すように、制御装置１０が、下ユニット１４の上面から突出したカッター５８の位置に、上ユニット１２の巻き付けロール１８のカッター移動溝２８が位置するように、上本体１６の位置を水平アクチュエータ３８によって位置させる。以下、この位置を「初期位置」と呼ぶ。
【０１２０】
（第２工程）
第２工程において、図１２に示すように、制御装置１０は、旧ウエブＷ１の搬送を停止させる。
【０１２１】
次に、制御装置１０は、初期位置において上下アクチュエータ６２によって上下部材６０の下本体４０を待機高さから作業高さに上昇させる。これによって、図５に示すように旧ウエブＷ１と新ウエブＷ２が、巻き付けロール１８、２個の補助ロール３４２、３４２と下吸引部４４によって挟んで固定される。また、上昇した搬入押圧ロール４と搬入ロール３とによって旧ウエブＷ１と新ウエブＷ２を挟持する。
【０１２２】
同時に、下テープアクチュエータ７４によって下テープ貼り付けロール４２を上方に移動させ、旧ウエブＷ１と新ウエブＷ２を、搬出ロール５と下テープ貼り付けロール４２とによって挟持する。
【０１２３】
これにより、上流の旧ウエブＷ１と新ウエブＷ２、下流から旧ウエブＷ１の張力変動を遮断し、接続装置１内のウエブ張力を安定化させる。
【０１２４】
（第３工程）
第３工程において、制御装置１０は、図１２に示すように、下吸引部４４の第１下吸引部５４と第２下吸引部５６の吸引を開始し、新ウエブＷ２の下面を、第１下弾性板４５８、第２下弾性板４６２を挟んで吸引する。また、これと同時に、制御装置１０は、巻き付けロール１８の旧ウエブ吸引部２６の吸引を開始する。このときに、図５に示すように、旧ウエブＷ１と新ウエブＷ２とは、重なった状態で巻き付けロール１８、２個の補助ロール３４２、３４２
によって挟んで固定されたままである。
【０１２５】
（第４工程）
第４工程において、図５と図６に示すように、塵吸引部１０２の上塵吸引口１０４と下塵吸引口１０６を切断空間９８，９９の右側に接続し、制御装置１０は、吸引二方弁１２０−１を開状態にして、切断空間９８，９９の吸引を開始する。
【０１２６】
次に、巻き付けロール１８のカッター移動溝２８に、カッター５８が位置しているので、図１３に示すように、制御装置１０は、切断装置４６のカッター５８を旧ウエブＷ１と新ウエブＷ２の幅方向に沿って移動させ、旧ウエブＷ１と新ウエブＷ２の両方を重ねたまま同時に幅方向に切断する。但し、両方切断されても、旧ウエブＷ１と新ウエブＷ２は上記したように固定されている。
【０１２７】
これと同時に、図５と図６に示すように、制御装置１０は、塵吸引部１０２の上塵吸引口１０４から、旧ウエブＷ１とカッター移動溝２８によって囲まれた筒状の切断空間９８（吸引空間）内の切断によって発生した塵を吸引する。
【０１２８】
また、下塵吸引口１０６から、新ウエブＷ２と下移動溝部９６によって囲まれた筒状の切断空間９９（吸引空間）内の切断によって発生した塵を吸引する。
【０１２９】
次に、制御装置１０は、旧ウエブＷ１と新ウエブＷ２の切断が終了すると、塵吸引部１０２を停止させる。
【０１３０】
（第５工程）
第５工程において、図１４と図１５に示すように、制御装置１０は、水平アクチュエータ３８によって上本体１６を初期位置から搬入側へ上レール３６，３６に沿って移動させる。
【０１３１】
上本体１６が水平方向に移動すると、駆動ギア７６がラック７８の上で図１４と図１５において反時計回りの方向に回転して移動する。
【０１３２】
また、制御装置１０は、巻き付けロール１８の旧ウエブ吸引部２６によって、切断された旧ウエブＷ１の前端部を吸引して回転しながら巻き付けていく。このときに、旧ウエブＷ１は、旧ウエブ吸引面２７に貼り付けられた上弾性板４３６の部分で吸引される。
【０１３３】
（第６工程）
第６工程において、図１６と図１７に示すように、旧ウエブＷ１の前端部が旧ウエブ吸引部２６に吸引され巻き付けられると、新ウエブＷ２の上面が露出する。新ウエブＷ２の前端部と、旧ウエブＷ１の後端部の接続位置を、後続の上テープ吸引部３２が転がり、上テープ３４が旧ウエブＷ１と新ウエブＷ２を跨ぐようにして接続する。すなわち、上テープ貼り付け体２０の上テープ吸引部３２に設けられている上テープ３４の接着面が、切断された旧ウエブＷ１の後端部と新ウエブＷ２の前端部の上面に上から上テープ貼り付け体２０によって押圧されて貼り付けられる。制御装置１０は、上テープ３４を貼り付けると、上テープ吸引部３２の吸引を停止する。そして、制御装置１０は、上本体１６を引き続き移動させる。
【０１３４】
（第７工程）
第７工程において、図１８に示すように、上本体１６が引き続き移動すると、巻き付けロール１８は、旧ウエブＷ１の前端部の巻き付けを引き続き行い、上テープ貼り付け体２０は上テープ３４を貼り付けた後も反時計回りの方向に回転する。
【０１３５】
（第８工程）
第８工程において、図１９に示すように、制御装置１０は、下吸引部４４の第１下吸引部５４と第２下吸引部５６の吸引を停止する。
【０１３６】
次に、制御装置１０は、初期位置において上下アクチュエータ６２によって下本体１６の上下部材６０を下方に移動させ、待機高さに戻す。
【０１３７】
（第９工程）
第９工程において、図２０と図２１に示すように、旧ウエブＷ１に接続された新ウエブＷ２の搬送を再開する。すると、下テープ貼り付けロール４２が、新ウエブＷ２の搬送と共に回転する。
【０１３８】
（第１０工程）
第１０工程において、図２２に示すように、旧ウエブＷ１と新ウエブＷ２の接続位置である上テープ３４の位置が、下テープ貼り付けロール４２と搬出ロール５の挟む位置にくると、回転している下テープ貼り付けロール４２に吸引されている下テープ５２が新ウエブＷ２の下面に貼り付けられ、図２３に示すように、旧ウエブＷ１と新ウエブＷ２の接続部分の両側がテープ３４，５２で固定される。
【０１３９】
（第１１工程）
第１１工程において、図２３に示すように下テープ５２が新ウエブＷ２に貼られると、制御装置１０は、下テープ貼り付けロール４２の吸引を停止させ、また、上本体１６を初期位置に復帰させる。そして、上ユニット１２が初期位置に戻る。
【０１４０】
（第１２工程）
第１２工程において、図２４に示すように、上ユニット１２が初期位置に戻ると、制御装置１０は、巻き付けロール１８の旧ウエブ吸引部２６による旧ウエブＷ１の吸引を停止させる。そして、切断されて不要となった旧ウエブＷ１を、不図示の巻出し装置の古い芯を逆回転させて巻取って、巻き付けロール１８から取り除く。また、作業者は、下本体４０から新ウエブＷ２の残りを取り除く。
【０１４１】
（１６）負圧装置１５０と吸引装置１００の吸引工程
次に、負圧装置１５０と吸引装置１００の中で、第２下吸引部５６が新ウエブＷ２を吸引する工程について、図２５の説明図と図２８のフローチャートを参照して説明する。
【０１４２】
ステップＳ１において、制御装置１０は、吸引二方弁１２０−１、全ての吸引三方弁１２０−２〜１２０−６の入口を閉状態、第１出口と第２出口を導通状態にする。
【０１４３】
ステップＳ２において、制御装置１０は、全ての二方弁１１８−１〜１１８−６を開状態にし、ステップＳ３に進む。
【０１４４】
ステップＳ３において、制御装置１０は、動力シリンダ１１２により負圧ポンプ１１０のピストン１３０を摺動させて第１空間１３２を広げ、負圧タンク１１４−１〜１１４−６内をΔＰ下げる。そしてステップＳ４に進む。
【０１４５】
ステップＳ４において、制御装置１０は、負圧タンク１１４−１〜１１４−６内が設定負圧−Ｐ１になったか否かを圧力計１２２−１〜１２２−６で測定し、全ての負圧タンク１１４−１〜１１４−６内が設定負圧−Ｐ１まで下がっていればステップＳ５に進み（ｙの場合）、設定負圧−Ｐ１まで下がっていなければステップＳ３に戻り、負圧ポンプ１１４によってΔＰだけ再び下げる（ｎの場合）。なお、７系統の中で設定負圧−Ｐ１まで下がった負圧タンク１１４については、その負圧タンク１１４に繋がった二方弁１１８のみを閉状態にする。
【０１４６】
ステップＳ５において、負圧タンク１１４−１〜１１４−６内が設定負圧−Ｐ１に全て下がっているため、制御装置１０は、全ての二方弁１１８を閉状態にして、負圧ポンプ１１０を停止させる。そして、ステップＳ６に進む。
【０１４７】
ステップＳ６において、制御装置１０は、全ての吸引部の吸引を待機状態とし、ステップＳ７に進む。
【０１４８】
ステップＳ７において、制御装置１０は、上記の第２工程になると第２下吸引部５６の吸引開始指示を行う。
【０１４９】
ステップＳ８において、制御装置１０は、吸引三方弁１２０−６の入口と第１出口を導通状態、第２出口を閉状態にする。すると第２下吸引部５６の吸引空間５９の内圧が下がって平衡状態になりステップＳ１１に進む。負圧タンク１１４の容積をＶ１、設定圧力を−Ｐ１、第２下吸引部５６の吸引空間５９の容積をＶ２、吸引圧力を−Ｐ２とすると、Ｖ１：Ｖ２＝｜−Ｐ１｜：｜−Ｐ２｜となる。なお、吸引圧力−Ｐ２とは、吸引三方弁１２０−６を導通して第２下吸引部５６と負圧タンク１１４−６の内圧が平衡状態となったときの圧力である。但し、流動抵抗要因は除いている
ステップＳ９において、第２下吸引部５６の吸引空間５９の内圧が−Ｐ２に下がっているので新ウエブＷ２の吸引を実行でき、ステップＳ１０に進む。
【０１５０】
ステップＳ１０において、制御装置１０は、上記の第６工程になると吸引の終了を指示し、ステップＳ１１に進む。
【０１５１】
ステップＳ１１において、制御装置１０は、吸引三方弁１２０−６の入口を閉状態、第１出口と第２出口を導通状態にする。これにより、第２下吸引部５６の吸引空間５９の内圧が大気圧に上がり、ステップＳ１２に進む。
【０１５２】
ステップＳ１２において、第２下吸引部５６の吸引空間５９の内圧が大気圧になったため、新ウエブＷ２の吸引が終了し、ステップＳ２に戻る。
【０１５３】
なお、第２下吸引部５６以外の系統の吸引部についても、それぞれの吸引開始タイミングと吸引終了タイミングでステップＳ６〜Ｓ１２の動作をそれぞれ並行に行う。
【０１５４】
（１７）効果
本実施形態によれば、負圧タンク１１４−１〜１１４−２は、フレーム２の上前横枠材２１２に設けられ、負圧タンク１１４−３〜１１４−４は、上後横枠材２１４に設けられ、負圧タンク１１４−５〜１１４−６は、フレーム２の前横枠材２０８に設けられているため、負圧タンク１１４を取り付けるための特別なスペースが不要となり、装置を小型化できる。
【０１５５】
また、負圧タンク１１４を形成する密閉空間は、枠材２１０，２１２内部を仕切って構成するため、特別な負圧タンク１１４そのものを枠材２１０，２１２内部に格納する必要がない。
【０１５６】
また、負圧タンク１１４内部は負圧であって大気圧よりも低く、枠材２１０，２１２内部で密閉空間を形成しても、枠材２１０，２１２の厚みは必要以上に厚くする必要がなく、十分に耐久性を得ることができる。
【変更例】
【０１５７】
上記実施形態では、フレーム２の上前横枠材２１２、上後横枠材２１４、前横枠材２０８に負圧タンク１１４を設けたが、これに限らず、後横枠材２１２、前縦枠材２０２、後縦枠材２０４の内部に設けてもよい。
【０１５８】
上記実施形態では、フレーム２の上前横枠材２１２、上後横枠材２１４、前横枠材２０８に２個の負圧タンク１１４を設けたが、これに限らず、１個、又は、３個以上設けてもよい。
【０１５９】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【０１６０】
１・・・接続装置、２・・・フレーム、１２・・・上ユニット、１４・・・下ユニット、１６・・・上本体、１８・・・巻き付けロール、２０・・・上テープ貼り付けロール、２５・・・旧ウエブ吸引空間、２６・・・旧ウエブ吸引部、２７・・・旧ウエブ吸引面、１１４・・・負圧タンク、２０８・・・前横枠材、２１０・・・後横枠材
【図１】
2019038657.tif 000003
【図２】
2019038657.tif 000004
【図３】
2019038657.tif 000005
【図４】
2019038657.tif 000006
【図５】
2019038657.tif 000007
【図６】
2019038657.tif 000008
【図７】
2019038657.tif 000009
【図８】
2019038657.tif 000010
【図９】
2019038657.tif 000011
【図１０】
2019038657.tif 000012
【図１１】
2019038657.tif 000013
【図１２】
2019038657.tif 000014
【図１３】
2019038657.tif 000015
【図１４】
2019038657.tif 000016
【図１５】
2019038657.tif 000017
【図１６】
2019038657.tif 000018
【図１７】
2019038657.tif 000019
【図１８】
2019038657.tif 000020
【図１９】
2019038657.tif 000021
【図２０】
2019038657.tif 000022
【図２１】
2019038657.tif 000023
【図２２】
2019038657.tif 000024
【図２３】
2019038657.tif 000025
【図２４】
2019038657.tif 000026
【図２５】
2019038657.tif 000027
【図２６】
2019038657.tif 000028
【図２７】
2019038657.tif 000029
【図２８】
2019038657.tif 000030